(57)【要約】【課題】  指輪を装着した状態では指の全周がリング体と接触していることによる安定した装着感が得られ、着脱時にはリング体の一部分を広く開放させて迅速に着脱できる指輪を提供すること。【解決手段】  台座と、台座の一端に設けられた係止口と、一端が台座の他端に第１の軸を介して回転可能に設けられ、他端は開放端として形成されるとともに開放端近傍には取付口が設けられたリング片と、一端がこのリング片の取付口に第２の軸を介して回転可能に設けられ、他端は折り返し片として第３の軸を介して回転可能に折り返され、この折り返し片は前記台座の係止口の下側から挿入されて第２の軸部分に開閉可能に係り止めされる係止部材とで構成され、この係止部材は、折り返し片が第２の軸部分に係り止めされるとリング片の内周面および外周面とほぼ等しい曲率面になることを特徴とするもの。【選択図】  図１
2006305275.tif 000002
【特許請求の範囲】
【請求項１】
台座と、
台座の一端に設けられた係止口と、
一端が台座の他端に第１の軸を介して回転可能に設けられ、他端は開放端として形成されるとともに開放端近傍には取付口が設けられたリング片と、
一端がこのリング片の取付口に第２の軸を介して回転可能に設けられ、他端は折り返し片として第３の軸を介して回転可能に折り返され、この折り返し片は前記台座の係止口の下側から挿入されて第２の軸部分に開閉可能に係り止めされる係止部材とで構成され、
この係止部材は、折り返し片が第２の軸部分に係り止めされた状態ではリング片の内周面および外周面とほぼ等しい曲率面になることを特徴とする指輪。
【請求項２】
前記台座には、第４の軸を介して台座と平行に回転引き出し可能にルーペ支持部材が取り付け収納されていることを特徴とする請求項１記載の指輪。
【請求項３】
前記台座の上面には、開閉可能な蓋部材の一端が第５の軸を介して回転可能に取り付けられていることを特徴とする請求項１記載の指輪。
【発明の詳細な説明】
【技術分野】
【０００１】  本発明は、指輪の改良に関するものである。
【背景技術】
【０００２】  郊外での散歩やハイキングなどの野外活動をはじめ、街頭散策などにおいても、また屋内においても、今この時点でこれを拡大観察できたらおもしろいだろうなと知的好奇心が沸いてくることは意外に多い。【０００３】  このような知的好奇心に応えるものとして、指輪の台座部分に拡大観察用ルーペを組み込んだものが、従来から各種提案されている。【０００４】  観察対象によっては指輪を装着したままでもルーペを使える場合もあるが、その自由度は大幅に制限されることから、必要に応じて指輪を指から外してルーペ機能を最大限に活用できることが望ましい。指輪としては、安定な装着感と迅速に着脱できることが求められる。【０００５】  一般に、指輪は、台座とリング片とで閉じたリング体として構成されている。このような指輪を装着するのにあたっては、指輪が装着している指から簡単に抜け落ちないようにするために、リング体の内径として、装着しようとする指の装着部分の外径よりもやや大きくて指の関節部分よりはやや小さいものが選ばれる。【０００６】  ところで、リング体の内径は温度変化によって多少の伸縮はあるもののほぼ一定であるのに対して、指の外径は常に変化していると考えられる。ある時期は装着した指輪が緩く感じられ、他のある時はきつく感じられることがあるが、望ましくは、指の外径変化に応じてリング体の内径も変化するように構成されていて、いつでも安定した指輪の装着感を得たい。【０００７】  このような視点に基づくものとして、特許文献１の段落０００３に開示されているように、リング部分に開放端部を設け、この開放端部の間隔が調整できるように構成されたものがある。【０００８】
【特許文献１】  実登３０２１２３３（段落０００３）
【発明の開示】
【発明が解決しようとする課題】
【０００９】
【００１０】  しかし、開放端部間が常に開放されている構成では、閉じたリング体を装着した場合に指の全周がリング体と接触していることによる安定した装着感が得られない。そして、着脱にあたっては、指の方向に沿って指輪を移動させなければならない。【００１１】  本発明は、このような問題に着目したものであり、その目的は、指輪を装着した状態では指の全周がリング体と接触していることによる安定した装着感が得られ、着脱時にはリング体の一部分を広く開放させて迅速に着脱できる指輪を提供することにある。
【課題を解決するための手段】
【００１２】  上記目的を達成する請求項１の発明は、
台座と、
台座の一端に設けられた係止口と、
一端が台座の他端に第１の軸を介して回転可能に設けられ、他端は開放端として形成されるとともに開放端近傍には取付口が設けられたリング片と、
一端がこのリング片の取付口に第２の軸を介して回転可能に設けられ、他端は折り返し片として第３の軸を介して回転可能に折り返され、この折り返し片は前記台座の係止口の下側から挿入されて第２の軸部分に開閉可能に係り止めされる係止部材とで構成され、
この係止部材は、折り返し片が第２の軸部分に係り止めされるとリング片の内周面および外周面とほぼ等しい曲率面になることを特徴とする指輪である。【００１３】  請求項２の発明は、請求項１記載の指輪において、
前記台座には、第４の軸を介して台座と平行に回転引き出し可能にルーペ支持部材が取り付け収納されていることを特徴とする。【００１４】  請求項３の発明は、請求項１記載の指輪において、
前記台座の上面には、開閉可能な蓋部材の一端が第５の軸を介して回転可能に取り付けられていることを特徴とする。
【発明の効果】
【００１５】  これにより、指輪を装着したい指の部分に一部分が広く開放されているリング片を巻き付ける感覚で装着でき、取り外しは係止部材の係り止めを解除することにより簡単迅速に行える。【００１６】  そして、指輪を装着して係り止めされた状態では、指の全周がリング体と接触しているので、安定した装着感が得られる。
【発明を実施するための最良の形態】
【００１７】  以下、図面を参照し、本発明の実施形態例に基づいて、本発明を詳細に説明する。図１は本発明に係る指輪の装着状態を示す斜視図、図２は係り止めの途中状態を示す斜視図、図３はリング片の開放端部が広く開放された状態を示す斜視図である。【００１８】  これら図面において、台座１の一端には、係止口２が設けられている。【００１９】  リング片３の一端は台座１の他端に第１の軸４を介して回転可能に設けられ、他端は開放端として形成され、開放端近傍には取付口５が設けられている。【００２０】  係止部材６の一端はこのリング片３の取付口５に第２の軸７を介して回転可能に設けられ、他端は折り返し片８として第３の軸９を介して回転可能に折り返されている。この折り返し片８の端部近傍には、第２の軸７の部分に開閉可能に係り止めするための係止爪１０が設けられている。【００２１】  この係止部材６の折り返し片８は、図２に示すように台座１の係止口２の下側から挿入されて第２の軸部分に開閉可能に係り止めされる。第２の軸７部分に係り止めされた状態では、図１に示すようにリング片３の内周面および外周面とほぼ等しい曲率面になるように形成されている。【００２２】  このように構成することにより、指輪を装着したい指の部分に一部分が広く開放されているリング片３を巻き付ける感覚で装着でき、取り外しは係止部材６の折り返し片８の係り止めを解除することにより簡単迅速に行える。【００２３】  そして、指輪を装着して係止部材６の折り返し片８を係り止めした状態では、係止部材６はリング片の内周面および外周面とほぼ等しい曲率面になるように形成されていることから指の全周がリング体６の内周と接触するので、安定した装着感が得られる。【００２４】  図４は本発明の他の実施形態例図である。台座１には、第４の軸１１を介して台座１と平行に回転引き出し可能にルーペ支持部材１２が取り付けられる。なお、ルーペ支持部材１２を第４の軸１１に取り付けるのにあたっては、ルーペ支持部材１２の上にスプリングワッシャ１３を挟む。また、１２を引き出すためのつまみ１４は引き出し方向に折り返すように形成されるとともに、その端部１５の下面には台座１の底面に形成されている凹部１６に嵌め合うように凸部が設けられている。なお、これら凹部と凸部の組み合わせは相互に入れ替わってもよい。【００２５】  このルーペ支持部材１２は、ルーペを使用しない状態では図５に示すように矢印Ａの方向に回転させることにより、台座１の内部に収納される。収納された状態では、つまみ１４の端部１５下面に設けられている凸部が台座１の底面に形成されている凹部１６に嵌め合い、ルーペ支持部材１２が不用意に飛び出すことはない。【００２６】  ルーペを使用する場合には、つまみ１４の端部１５を矢印Ｂの方向に回転させて、つまみ１４の端部１５下面に設けられている凸部と台座１の底面に形成されている凹部１６との嵌め合いを解除し、ルーペ支持部材１２を台座１から任意の位置まで引き出す。ルーペ支持部材１２は、スプリングワッシャ１３の弾性力により、引き出された任意の位置で静止する。なお、ルーペの使用にあたっては、指輪を指に装着した状態であってもよいし、係止部材６の折り返し片８の係り止め���解除して取り外してもよい。【００２７】  さらに、台座１の上面には、図６に示すように、第５の軸１７を介して回転可能に開閉可能な蓋部材１８の一端を取り付けるようにしてもよい。蓋部材１８の他端には一部に台座１に設けられた係止用突起１９に嵌め合う係止用爪２０が形成されたつまみ２１を設けておく。これにより、写真や超小型電子機器などの収納部が構成できる。【００２８】  以上説明したように、本発明によれば、指輪を装着したい指の部分に一部分が広く開放されているリング片を巻き付ける感覚で装着でき、取り外しにあたっては係止部材の係り止めを解除すればよく、簡単迅速に行える。【００２９】  そして、指輪を装着して係り止めされた状態では、指の全周がリング体と接触しているので、安定した装着感が得られる。【００３０】  また、台座に任意の回転角度で引き出し可能にルーペ支持部材が収納された指輪を装着しておくことにより、いろいろな場面における拡大観察できたらおもしろいだろうなという知的好奇心を満たすことができる。【００３１】  さらに、台座の上面に開閉可能な蓋部材を回転可能に取り付けることにより、写真や超小型電子機器などの収納部が構成でき、単なるアクセサリとしての指輪に限ることなく、多様な産業分野で用いる仕事用の指輪としても好適である。
【図面の簡単な説明】
【００３２】
【図１】  本発明に係る指輪の装着状態を示す斜視図である。
【図２】  係り止めの途中状態を示す斜視図である。
【図３】  リング片の開放端部が広く開放された状態を示す斜視図である。
【図４】  本発明の他の実施形態例図である。
【図５】  図４の動作状態を示す斜視図である。
【図６】  本発明の他の実施形態例図である。
【符号の説明】
【００３３】  １  台座
２  係止口
３  リング片
４  第１の軸
５  取付口
６  係止部材
７  第２の軸
８  折り返し片
９  第３の軸
１０  係止爪
１１  第４の軸
１２  ルーペ支持部材
１３  スプリングワッシャ
１４  つまみ
１５  端部
１６  凹部
１７  第５の軸
１８  蓋部材
１９  係止用突起
２０  係止用爪
２１  つまみ
【図１】
2006305275.tif 000003
【図２】
2006305275.tif 000004
【図３】
2006305275.tif 000005
【図４】
2006305275.tif 000006
【図５】
2006305275.tif 000007
【図６】
2006305275.tif 000008